(57)【要約】【課題】画像読取記録装置のメンテナンス作業をより行いやすくすることである。【解決手段】記録材に画像を形成する画像形成部と、前記画像形成部の上方に配設される原稿から画像を読み取る画像読取部と、前記画像形成部の上方かつ前記画像読取部の下方に配設され、装置全体を制御する制御部と、を有する画像読取記録装置において、前記画像読取部は、前記画像読取部の装置奥部を回動中心として回動可能に構成され、前記画像読取部の下方には、前記装置全体の制御部を覆うカバー部材を設けることを特徴とする。【選択図】  図７
2004235831.tif 000002
【特許請求の範囲】
【請求項１】
記録材に画像を形成する画像形成部と、前記画像形成部の上方に配設される原稿から画像を読み取る画像読取部と、前記画像形成部の上方かつ前記画像読取部の下方に配設され、装置全体を制御する制御部と、を有する画像読取記録装置において、
前記画像読取部は、前記画像読取部の装置奥部を回動中心として回動可能に構成され、
前記画像読取部の下方には、前記装置全体の制御部を覆うカバー部材を設けることを特徴とする画像読取記録装置。
【請求項２】
前記画像形成部を回動させることにより、前記カバー部材の取り付け、及び取り外しを行うことができる状態になることを特徴とする請求項１に記載の画像読取記録装置。
【請求項３】
画像形成のための記録ヘッドを有し、
前記画像読取部を回動することにより、前記記録ヘッドが交換可能な状態になることを特徴とする請求項１又は２に記載の画像読取記録装置。
【請求項４】
前記カバー部材は、本体装置に取り付けるためのネジ等の締結部を有し、
前記締結部は、前記カバー部材手前側のみに配置されていることを特徴とする請求項１乃至３のいずれかに記載の画像読取記録装置。
【請求項５】
前記カバー部材は、前記記録ヘッド交換作業時の案内部材を兼ねていることを特徴とする請求項１乃至４のいずれかに記載の画像読取記録装置。
【請求項６】
前記カバー部材の奥側の一部には、外部インターフェイスに接続する際のガイド部を有することを特徴とする請求項１乃至５のいずれかに記載の画像読取記録装置。
【発明の詳細な説明】
【０００１】
【発明の属する技術分野】
本発明は、ファクシミリ、複写機、複合機などの画像読取記録装置に関するものである。
【０００２】
【従来の技術】
従来、図２０に示すように、画像読取部６０１に対して、下方に記録部６０２があり、記録部６０２の後方に、制御基板６０３、電源６０４さらにはファクシミリ装置の場合には必要な通信制御基板等が配置されているものがある。記録材の送り方向は矢印Ｈの方向である。
【０００３】
また、図２１に示すように、従来の画像読取記録装置は、画像読取部７０１に対して、下方に制御基板７０３が配置されており、画像読取部７０１が制御基板７０３を覆うように組み立てられて配置されている。
【０００４】
【発明が解決しようとする課題】
しかしながら、図２０の画像読取記録装置のように、制御基板６０３が画像読取記録装置の後方にあると、制御基板６０３に取り付けられるＲＯＭ交換等のメンテナンス時において、サービスマンが画像読取記録装置を作業しやすいような状態にする必要があった。即ち、壁際に設置されている本体背面を引きずり出す必要があった。
【０００５】
また、図２１の画像読取記録装置のように、画像読取部７０１が制御基板７０３を覆うように組み立てられていると、制御基板に取り付けられるＲＯＭ交換等の作業時に本体装置の外装カバー等の複数部品を取り外す必要がある。このため、作業者の作業工数が増えるとともに、作業スペースの確保を設ける必要が生じていた。また、複数部品を取り外すために組み間違いを起こしやすい恐れも生じていた。
【０００６】
そこで、本発明の目的は、画像読取記録装置のメンテナンス作業をより行いやすくすることである。
【０００７】
【課題を解決するための手段】
上記目的を達成するための、本発明の代表的な構成は、記録材に画像を形成する画像形成部と、前記画像形成部の上方に配設される原稿から画像を読み取る画像読取部と、前記画像形成部の上方かつ前記画像読取部の下方に配設され、装置全体を制御する制御部と、を有する画像読取記録装置において、前記画像読取部は、前記画像読取部の装置奥部を回動中心として回動可能に構成され、前記画像読取部の下方には、前記装置全体の制御部を覆うカバー部材を設けることを特徴とする。
【０００８】
【発明の実施の形態】
次に本発明に係る一実施形態である画像読取記録装置について説明する。本実施形態に係る画像読取記録装置を図に従って説明する。以下、本発明の実施形態を図面を参照しながら詳細に説明する。
【０００９】
図１は画像読取記録装置の前方からの斜視図であり、図２は画像読取記録装置の後方からの斜視図であり、図３は画像読取記録装置の全体の説明図であり、図４は画像読取記録装置の分解斜視図であり、図５はいわゆるプリンタユニットの説明図であり、図６乃至図１０はシステムコントロール基板カバーの説明図であり、図１１及び図１２は読取ユニットＢ開放時の説明図であり、図１３乃至図１５はインクタンクの交換時の説明図であり、図１６及び図１７は読取ユニットのロック機構の説明図であり、図１８及び図１９は読取ユニットの保持機構の説明図である。
【００１０】
これらの図に基づいて、順を追って詳細に述べる。画像読取記録装置は、全面が図１、背面が図２に示したような外観である。図１及び図２に示すように、画像読取記録装置は、読取ユニットＢ、ミドルフレーム３４、ボトムカバー３３、操作カバー３６、操作下カバー３５、ロック解除ボタン３９等を有する。
【００１１】
図３において、Ａはインクジェット記録装置である記録ユニット（画像形成部）、Ｂは原稿を光学的に読み取る読取ユニット（画像読取部）、Ｃは積載された記録材を分離して記録ユニットに供給する給送ユニット、その他、装置全体を制御するための制御部、公衆電話回線等からのデータを接続する接続部、通信制御部、装置電源部、操作部等の電装部とからなる（Ｄは電話回線等からのデータを接続する接続部と装置電源部である）。図３において、記録ユニットＡと給送ユニットＣは、プリンタユニットとしてボトムカバー３３に取り付けられている。
【００１２】
（記録材の搬送手順）
まず記録材の流れについての概略説明を行う。本実施形態では定形のカット紙を用いており、複数枚重ねてオートシートフィーダー１に収納される。オートシートフィーダー１はスライダ２によって記録材のサイズに合わせて記録材の側面をガイドできるように構成されている。
【００１３】
オートシートフィーダー１に収納積載された記録材は、給送ローラ３及び分離ローラ４によって１枚だけ分離搬送される。その後、搬送ローラ５と対向配置されたコロ６とで挟持搬送される。記録ヘッド１０の下流に位置し印字がなされた記録材を装置の下流に搬送する排出ローラ７（７ａ、７ｂ）、それぞれ排出ローラ７ａ、７ｂの対向側にあり、記録材の印字面に接触してもインクが転写されることの無い材質で構成された拍車８（８ａ、８ｂ）とから構成される。排出ローラ７ａ、７ｂと拍車８ａ、８ｂによって搬送された記録材は、装置本体の前部に設けられた記録材排出トレイ９上に排出される。
【００１４】
（画像読取部）
次に図を用いて画像読取部であるフラットベッドスキャナ（読取ユニットＢ）の説明を行う。密着型イメージセンサ１１は、キャリッジ１２に支持され、副走査方向に平行なガイド軸１３に沿って移動可能である。キャリッジ１２の移動は不図示のモータ１４から駆動を受けたタイミングベルト１５によって行われる。イメージセンサ１１は図示しない光源とレンズと光電変換素子を内蔵しており、原稿載置台としてのコンタクトガラス１６の裏面に一定の距離を保って移動する。読み取られた画像はフレキシブルケーブルにより本体画像処理部（システムコントロール基板２１）に電送される。
【００１５】
読取ユニットＢは装置奥部に回動中心１７を有し、矢印のＥ方向に回動可能に構成されている。読取ユニットＢを矢印Ｅ方向に回動することにより、記録ヘッド１０の交換及びインクタンク３１の交換に要する空間が開放される（請求項１、２対応）。
【００１６】
（記録部の構成）
次に、本実施形態の記録部Ａの構成を詳細に説明する。図３乃至図５において、画像読取記録装置は、記録ヘッド１０を有する。記録ヘッド１０は、本実施形態ではインクタンク３１を別体とし、インクが無くなった時にはインクタンク３１のみ新品と交換し得るカートリッジ式のインクジェット記録ヘッドを搭載している。
【００１７】
記録ヘッド１０を精度良く保持しながら記録材の搬送方向（副走査方向）とは直角方向、すなわち主走査方向に往復移動させるためキャリッジ１８が配設される。キャリッジ１８は、ガイド棒と突き当て部（図示しない）により摺動自在に保持されている。キャリッジ１８の往復動は、モータ１９によって駆動されるプーリ（図示しない）及びタイミングベルト２０によって行われ、この際に記録ヘッド１０に与える印字信号及び電力は、フレキシブルケーブル（図示しない）によって本体の電気回路より供給されている。記録ヘッド１０とフレキシブルケーブルとはお互いの接点を圧接して接続している。
【００１８】
（記録ヘッド）
本実施形態で用いる記録ヘッド１０は、ノズル内に設けた電気熱変換素子の発熱によってインク中に生じた膜沸騰の圧力によってノズル先端の吐出口よりインクを吐出するものである。
【００１９】
本発明における記録手段として本実施形態のインクジェット記録装置に用いられる記録ヘッドの吐出原理について説明する。インクジェット記録装置に適用される記録ヘッド部は、一般に微細な液体吐出口（オリフィス）、液路及びこの液路の一部に設けられるエネルギー作用部と、該作用部にある液体に作用させる液滴形成エネルギーを発生するエネルギー発生手段とを備え、交換可能である。
【００２０】
このようなエネルギーを発生するエネルギー発生手段としてはピエゾ素子等の電気機械変換体を用いたもの、レーザ等の電磁波を照射して、そこにある液体に吸収させて発熱させ、該発熱による作用で液滴を吐出、飛翔させるようにしたもの、あるいは電気熱変換体によって液体を加熱して液体を吐出させるようにしたもの等がある。その中でも熱エネルギーによって液体を吐出させるインクジェット記録方式に用いられる記録ヘッド部は、記録用の液滴を吐出して飛翔用液滴を形成するための液体吐出口（オリフィス）を高密度に配列することができるために高解像力の記録をすることが可能である。
【００２１】
また、電気熱変換体をエネルギー発生手段として用いた記録ヘッド部は、記録ヘッド部として全体的なコンパクト化も容易で、かつ、最近の半導体分野における技術の進歩と信頼性の向上が著しいＩＣ技術やマイクロ加工技術の長所を十二分に活用でき、長尺化及び面状化（２元化）が容易であること等から、マルチノズル化、高密度実装化が容易で、しかも大量に生産性よく、製造コストも安価なインクジェット記録用ヘッド部を提供することが可能である。
【００２２】
このようにエネルギー発生手段に電気熱変換体を用い、半導体製造プロセスを経て製造されたインクジェット用記録ヘッド部は、一般には各インク吐出口に対応した液路を設け、該液路ごとに該液路を満たす液体に熱エネルギーを作用させて、対応するインク吐出口から液体を吐出して飛翔用液滴を形成する手段としての電気熱変換体が設けられ、各液路には、各液路に連通している共通液室から液体が供給される構造となっている。
【００２３】
（電装部の構成）
次に本実施形態の電装部の構成を詳細に説明する。図４に示すように、電装部は主に装置全体のシステムと記録系を制御するシステムコントロール基板２１、主に回線との通信を制御するネットワークコントロール基板２３と、回線モジュラー基板２４と、装置に電源を供給する電源ユニット２６と、操作パネルのキーやＬＥＤを実装しているオペレーションコントロール基板２７と、主にコンパクトフラッシュ、コンパクトフラッシュｔｙｐｅＩＩ、スマートメディア、メモリースティック、ＳＤカード、マルチメディアカード等の各種メモリーカードのコネクタやＬＥＤを実装しているメモリーカード基板２８と、各種センサ等と高熱を発する各種モータドライバやコンデンサ等を実装してシステムコントロール基板２１へ中継する中継基板２９、３０（中継基板３０は図５参照）とからなる。
【００２４】
電装基板のレイアウトについて順に説明する。最初に、システムコントロール基板２１は、記録ユニットＡの上方かつ読取ユニットＢの下方で装置左右方向の片側（本実施形態においては装置正面から見て右側）に配置され、図示しない板金に固定されてミドルフレーム３４に水平に取り付けられており、その上方をカバー部材であるシステムコントロール基板カバー４１（図３参照）で覆っている。
【００２５】
これにより、記録ユニットＡ上方で装置左右方向中央部は記録部のインクカートリッジ（記録ヘッド１０）及びインクタンク３１を交換する空間的スペースを設けることができる。この空間的スペースを挟んでシステムコントロール基板２１と反対側の領域（本実施形態においては装置正面から見て左側）は読取ユニットＢの開閉時に必要なダンパ機構や保持機構（トーションバーやトーションバネ等）を設けている。
【００２６】
システムコントロール基板２１上には、その他の電装基板からの接続ケーブルコネクタ等の背の高い空間を必要とする部品を、比較的基板上の前後方向の端部に近い領域に実装し、本体装置全体のシステム制御やプリンタを制御するチップ及びメモリ等のチップやＲＯＭ等の背の低い部品を基板上の中央部で特に前述した記録ヘッド１０及びインクタンク３１の交換スペースのサイド領域に集中実装させている。これにより、基板を覆うカバー部材（システムコントロール基板カバー４１）において、比較的背の低いチップ等が実装されている領域上を低く覆うことで空間をさらに広げることが可能となり、記録ヘッド１０及びインクタンク３１の交換作業時における操作性を向上させることができる。
【００２７】
さらに基板２１上にはＵＳＢコネクタ２２（図３参照）が装置背面側でかつ給送ユニットＣの左右方向外側でＵＳＢケーブル（図示しない）と接続できるように実装されている。これにより、ＵＳＢケーブルを装置背面側のデッドスペースで処理できるとともに、比較的本体装置の上方にＵＳＢコネクタ２２が配置されているため、本体装置の背面を壁に密着させて設置させてもＵＳＢケーブルのコネクタへの接続を容易にすることができる。
【００２８】
また、システムコントロール基板２１上には読取ユニットＢからの画像データを電送するフレキシブルケーブルのコネクタが基板上の比較的背面側付近に実装されている。これにより、読取ユニットＢの回動中心１７と近いことからフレキシブルケーブルを最短の長さで形成できるとともに読取ユニットＢの開閉動作時でもフレキシブルケーブルのたわみや突っ張り等を防止できる。
【００２９】
（システムコントロール基板カバー４１について）
次に、本願発明の特徴部分である、システムコントロール基板２１を覆う、カバー部材であるシステムコントロール基板カバー４１の構造と、その取り付けについて図６乃至図１０を用いて説明する。
【００３０】
システムコントロール基板カバー４１は、前述したようにシステムコントロール基板２１を、使用者に触れさせないように覆う。また、これに加えて、システムコントロール基板カバー４１には、記録ヘッド１０及びインクタンク３１の交換作業時、交換位置への案内部材としての役割がある（請求項３対応）。
【００３１】
図９に示すように、システムコントロール基板カバー４１の記録ヘッド１０、及びインクタンク３１の交換口に隣接したＭ部領域において、左側半分に右側より低い段差部を設け、左側端部には斜面部領域を設けている。これにより、記録ヘッド１０及びインクタンク３１の交換操作時のアクセス過程（矢印Ｌ）の案内性を向上させている（請求項５対応）。
【００３２】
また、システムコントロール基板カバー４１は、イメージセンサ１１からのフレキシブルケーブル５４（図６参照）を、システムコントロール基板２１上のコネクタ５５へ接続させるガイド部としての役割を持つ。さらに、図１０に示すように、外部からのＵＳＢケーブル６６等をＵＳＢコネクタ５５（外部インターフェイス）へ容易に接続させるガイドの役割や、ＵＳＢケーブル接続時の不用意なこじりによるコネクタ剥がれをカバー４１のガイドリブ４１ａで上方から押さえつけることにより防止させる役割を果たしたりする。このため、インターフェイス部が装置背面側に配置されているにもかかわらず、使用者がＵＳＢケーブル等を容易に接続することができる（請求項６対応）。
【００３３】
さらに一方で、サービスマンの作業の中でシステムコントロール基板２１のメンテナンス作業、例えばＲＯＭ５６交換時に、図７及び図８のように、読取ユニットＢを開放状態にして、システムコントロール基板カバー４１を取り外す。システムコントロール基板カバー４１を取り外す際には、まず図７に示すように、ネジ５７を矢印Ｋ方向に外し、次に図８に示すように、フック部４１ｂを中心にシステムコントロール基板カバー４１を矢印Ｉ方向へ移動させる。
【００３４】
このように、本発明においてはシステムコントロール基板カバー４１を少ない工程で取り外すことができる。かつ、本体装置をその場で設置された状態のままで移動させること無く、正面から容易にＲＯＭ５６を矢印Ｊ方向へ外すことができる。図１１にシステムコントロール基板カバー４１が取り付けられている状態を、図１２にシステムコントロール基板カバー４１を取り外した状態を示す。システムコントロール基板カバー４１は、本体装置に取り付けるためのネジ等の締結部を有し、締結部は、前記カバー部材手前側のみに配置されている。このため、読取ユニットＢを回動させて装置手前側の作業空間を確保すると、ネジ等の締結の解除等の作業を装置手前側でできるため、容易に締結の解除等の作業ができる（請求項４対応）。
【００３５】
次に、システムコントロール基板カバー４１の取り付けについて説明する。図８に示すように、システムコントロール基板カバー４１は、奥側にフック部４１ｂを設け、手前側にネジ固定部４１ｃを設けて、それぞれミドルフレーム３４の引掛部３４ａとネジボス部３４ｂとに固定されている。これにより読取ユニットＢを開状態にすると同時に、手前側の領域が開放されて、ネジ５７による固定や取り外し作業時の工具を用意に使用することができる。
【００３６】
（ネットワークコントロール基板２３）
次に、ネットワークコントロール基板２３（図４参照）は、システムコントロール基板２１の下方で、記録ユニットＡの手前に配置され、かつ基板手前側の端部が上方から見てシステムコントロール基板２１の手前側端部よりはみ出した位置に配置され、図示しない板金に固定されてミドルフレーム３４に取り付けられている。ここでのはみ出し量は、ネットワークコントロール基板２３とシステムコントロール基板２１とを接続するためのネットワークコントロール基板２３側のケーブルコネクタ群（不図示）の領域が真上から見える量を最低限有している。これにより、システムコントロール基板２１の下方手前側の無駄な空間を無くすことができ、装置全体の小型化をさせるとともに、システムコントロール基板２１への接続ケーブル類を短くする。このため、ケーブルの差し忘れ防止といった組立性を向上させることができる。
【００３７】
（回線モジュラー基板２４及び電源ユニット２６等）
次に、回線モジュラー基板２４と電源ユニット２６は、図４に示すように、両者を給送ユニットＣの下部に集中配置させ、図示しない板金に両基板を覆うカバー部材（不図示）とともに固定されて、ボトムカバー３３に取り付けられている。そして、回線モジュラー基板２４とネットワークコントロール基板２３とがケーブル接続され、電源ユニット２６とシステムコントロール基板２１がケーブル接続されている。こうすることで、回線モジュラー基板２４と電源ユニット２６とのアレスターグランド（不図示）を短く接続することができる。
【００３８】
さらに、回線モジュラー基板２４と電源ユニット２６は、システムコントロール基板２１等と比べて比較的面積の小さい基板であるため、これらを給送ユニットＣの下方に配置させることで装置全体の設置面積で特に奥行き方向を小さくさせることができる。また、電源コードや回線モジュラーコード等の外部接続ケーブル類の接続を装置背面側にまとめて処理できる効果も生じる。
【００３９】
（オペレーションコントロール基板２７及びメモリーカード基板２８）
また、オペレーションコントロール基板２７は、装置操作性の観点から装置前面に斜めに配置され操作カバー３６に取り付けられている。メモリーカード基板２８は、オペレーションコントロール基板２７の中央かつ下方に配置され、図示しない板金に固定されて操作下カバー３５に取り付けられている。オペレーションコントロール基板２７とメモリーカード基板２８は、いずれもシステムコントロール基板２１の近傍に配置されているため、システムコントロール基板２１への接続ケーブル類を短くさせることができる。
【００４０】
（記録ヘッド１０の交換操作）
次に、本実施形態におけるインクタンク３１及びインクカートリッジ（記録ヘッド１０）の交換操作を図１３及び図１４を用いて説明する。図１４に示すように、インクタンク３１を別体とし、インクが無くなった時にはインクタンク３１のみ新品と交換し得るカートリッジ式のインクジェット記録ヘッド１０（図９）を搭載している。そして、記録ヘッド１０を精度良く保持しながら、記録材の搬送方向（副走査方向）とは直角方向、すなわち主走査方向に往復移動させるためのキャリッジ１８を、ガイド棒と突き当て部（図示しない）により摺動自在に配設している。また、記録ユニットＡの上方部の領域において中央に空間的スペースを確保し、かつ両側面部に片側領域を電装基板群、反対側領域を読取ユニットＡの回動開放時のダンパ機構及び保持機構を確保してある。
【００４１】
こうした構成において、インクタンク３１及び記録ヘッド１０を交換させるためには、キャリッジ１８を主走査方向ほぼ中央へ移動させる必要がある。そのために、まず使用者は、ロック解除ボタン３９（図１、図２参照）を押すことで、読取ユニットＢのロック解除機構が作用し、トーションバー等のバネ力により回動軸１７を中心に矢印Ｅ方向へ回転し、保持機構により保持される。
【００４２】
このとき、読取ユニットＢ内のフレーム（読取フレーム４０）の一部である突起部４０ａが、中継基板２９に取り付けられたカバーセンサレバー３７から離れる。するとレバー３７は、回動中心３７ａを中心としてねじりコイルバネ等の作用により矢印Ｇ方向へ回動する。これにより、中継基板２９に実装されたカバーセンサ３２が読取ユニットＢの開状態を検出し、モータ１９によって駆動されるプーリ（図示しない）及びタイミングベルト２０によって自動でキャリッジ１８を主走査方向中央部へと移動させることができる。この状態でインクタンク３１を矢印Ｈ方向へ着脱可能にさせることができる。
【００４３】
また、記録ヘッド１０の交換においては、インクタンク３１を取り外した状態においてカートリッジレバー３８を図１４に示す回動中心３８ａを中心として矢印Ｆ方向へ回動させることで、キャリッジ１８と記録ヘッド１０との位置決めロック機構及び印字信号などを記録ヘッド１０に伝達させるフレキシブルケーブル（不図示）との圧接機構が解除され、着脱可能にさせることができる（図１５の左図がその状態を示す）。
【００４４】
記録ヘッド１０の交換作業が終了すると、使用者は前述したカートリッジレバー３８及び読取ユニットＢをそれぞれ元の状態に戻す。これにより、カバーセンサレバー３８を介してカバーセンサ３２が働き、読取ユニットＢを閉状態と検出してキャリッジ１８を自動的に待機位置へ移動させる。これにより一連の記録ヘッド１０及びインクタンク３１の交換作業を終了する。
【００４５】
（読取ユニットＢの機構）
読取ユニットＢの開閉動作時のロック機構及び回動時のダンパ機構及び開放時の保持機構について、図１６から図１９を用いて説明する。まず、ロック機構について説明する。
【００４６】
（ロック機構）
図１６のように、読取ユニットＢが閉状態でロックされている状態から前述したロック解除ボタン３９（図１参照）を押すと、この動作と連動して同方向へロックシャフト４３が移動し（紙面に対して垂直方向）、ロックシャフト４３の先端に接したロックレバー４５が、ロック軸４４を回動中心として回動する。
【００４７】
ロックレバー４５のロックシャフト４３と反対側の端部４５ａはフック形状をしており、読取ユニットＢが閉状態のときは読取ユニットＢ内に固定されたロック板金４６に引っ掛かり、ロック状態となっている。ここで、ロックレバー４５が回動すると、ロックレバー４５の端部４５ａがロック板金４６から外れる。すると読取ユニットＢは、下部に配設されたトーションバー４７のバネ力により、回動中心１７を軸として矢印Ｅ方向へ回動する（図１７参照）。その後、ロックレバー４５は、不図示のバネにより回動して最初の状態に戻る。
【００４８】
ここで、読取ユニットＢを開く動作を容易にするためのトーションバー４７について簡単に説明する。トーションバー４７の腕部４７ａは回転中心４７ｃを軸として回動可能である。腕部４７ｂは複数個の止め板金４８ａ、４８ｂによってミドルフレーム３４に固定されている。自然状態においてこのトーションバー４７は図１７の状態よりも腕部４７ａと腕部４７ｂとの角度が大きくなっており、図１６の状態では、常にバネ力が矢印Ｅ方向へと働いている。こうして、前述したロック解除機構が働くとともに読取ユニットＢを回動途中位置から手を離しても読取ユニットＢの自重で閉状態になるのではなくダンパ機構を働かせることができる。
【００４９】
（保持機構）
読取ユニットＢの開放時の保持機構について説明する。図１８のように、ジョイント下カバー５１は、ミドルフレーム３４内の前述したヘッド及びインクタンク交換口の横（システムコントロール基板２１の領域と反対側部）に取り付けられている。ジョイント下カバー５１には、両端がフック形状したジョイントバネ４９（コイルバネ）のフック部４９ａが引っ掛けられている。
【００５０】
ジョイントバネ４９の他端のフック部４９ｂはジョイント下カバー５１の一部の摺動面５１ｂを摺動して動くジョイント５０の引掛部５０ｃに引っ掛けられている。ジョイント５０は、前述したジョイント下カバー５１内の摺動面５１ｂと、摺動する突起部５０ａとを有し、前述したジョイントバネ４９の引掛部５０ｃを挟んで反対側には回転中心部５０ｂが設けられている。
【００５１】
この回転中心部５０ｂは、読取ユニットＢ内に取り付けられたジョイント保持部材５３において、回動自在に取り付けられている。また、摺動する突起部５０ａの上方向を規制するジョイントカバー５２がミドルフレーム３４に取り付けられており、ジョイント５０の動きをジョイント下カバー５１とともに規制している。
【００５２】
こうした構成において、読取ユニットＢは、以下のような動作により、閉状態から開放保持状態まで移行する。まず読取ユニットＢが開放されるにつれて、ジョイントバネ４９が引っ張られた状態から自然状態に戻ろうとして、ジョイント５０の突起部５０ａをジョイント下カバー５１の摺動面５１ｂを摺動させる。摺動面５１ｂの終点部付近には突起形状５１ａが設けられており、ジョイント突起部５０ａが摺動面上の突起部を乗り越えたところで読取ユニットＢの開放時のクリック間が生じ、この状態で読取ユニットＢは保持される。このとき、ジョイントバネ４９はまだ自然状態まで戻っておらず、読取ユニットＢの開放保持状態をより安定させている。さらに、前述した読取ユニットＢが閉状態に至るまでのダンパ機構としての役割も備えている。
【００５３】
（他の実施形態）
前述した実施形態においては、画像記録装置として、制御部としてのＣＰＵと接続されＣＰＵ内に作成された画像記録データを転送して画像記録を行うものを挙げがたが、これに限るものではなく、例えば複写機のように記録画像を読み取った後、その画像を記録するものも含まれる。
【００５４】
【発明の効果】
以上のように、本発明においては、記録材に画像を形成する画像形成部と、前記画像形成部の上方に配設される原稿から画像を読み取る画像読取部と、前記画像形成部の上方かつ前記画像読取部の下方に配設され、装置全体を制御する制御部と、を有する画像読取記録装置において、前記画像読取部は、前記画像読取部の装置奥部を回動中心として回動可能に構成され、前記画像読取部の下方には、前記装置全体の制御部を覆うカバー部材を設けることを特徴とする。このため、画像読取記録装置のメンテナンス作業をより行いやすくすることができる。
【図面の簡単な説明】
【図１】画像読取記録装置の前方からの斜視図である。
【図２】画像読取記録装置の後方からの斜視図である。
【図３】画像読取記録装置の全体の説明図である。
【図４】画像読取記録装置の分解斜視図である。
【図５】いわゆるプリンタユニットの説明図である。
【図６】システムコントロール基板カバーの説明図である。
【図７】システムコントロール基板カバーの説明図である。
【図８】システムコントロール基板カバーの説明図である。
【図９】システムコントロール基板カバーの説明図である。
【図１０】システムコントロール基板カバーの説明図である。
【図１１】読取ユニットＢ開放時の説明図である。
【図１２】読取ユニットＢ開放時の説明図である。
【図１３】インクタンクの交換時の説明図である。
【図１４】インクタンクの交換時の説明図である。
【図１５】インクタンクの交換時の説明図である。
【図１６】読取ユニットのロック機構の説明図である。
【図１７】読取ユニットのロック機構の説明図である。
【図１８】読取ユニットの保持機構の説明図である。
【図１９】読取ユニットの保持機構の説明図である。
【図２０】従来の画像読取記録装置の説明図である。
【図２１】従来の画像読取記録装置の説明図である。
【符号の説明】
Ａ  …記録ユニット、Ｂ  …読取ユニット、Ｃ  …給送ユニット、
Ｄ  …装置電源部、１  …オートシートフィーダー、２  …スライダ、
３  …給送ローラ、４  …分離ローラ、５  …搬送ローラ、６  …コロ、
７  …排出ローラ、８  …拍車、９  …記録材排出トレイ、１０  …記録ヘッド、
１１  …イメージセンサ、１２  …キャリッジ、１３  …ガイド軸、
１５  …タイミングベルト、１６  …コンタクトガラス、１７  …回動中心、
１８  …キャリッジ、１９  …モータ、２０  …タイミングベルト、
２１  …システムコントロール基板、２３  …ネットワークコントロール基板、
２４  …回線モジュラー基板、２６  …電源ユニット、
２７  …オペレーションコントロール基板、２８  …メモリーカード基板、
２９  …中継基板、３０  …中継基板、３１  …インクタンク、３３  …ボトムカバー、
３４  …ミドルフレーム、３４ａ  …引掛部、３４ｂ  …ネジボス部、３５  …操作下カバー、
３６  …操作カバー、３７  …カバーセンサレバー、３７ａ  …回動中心、
３８  …カートリッジレバー、３８ａ  …回動中心、３９  …ロック解除ボタン、
４０  …読取フレーム、４０ａ  …突起部、４１  …システムコントロール基板カバー、
４１ａ  …ガイドリブ、４１ｂ  …フック部、４１ｃ  …ネジ固定部、
４３  …ロックシャフト、４４  …ロック軸、４５  …ロックレバー、４５ａ  …端部、
４６  …ロック板金、４７  …トーションバー、４７ａ  …腕部、４７ｂ  …腕部、
４７ｃ  …回転中心、４８ａ  …板金、４８ｂ  …板金、４９  …ジョイントバネ、
４９ａ  …フック部、４９ｂ  …フック部、５０  …ジョイント、５０ａ  …突起部、
５０ｂ  …回転中心部、５０ｃ  …引掛部、５１  …ジョイント下カバー、
５１ｂ  …摺動面、５３  …ジョイント保持部材、５４  …フレキシブルケーブル、
５５  …ＵＳＢコネクタ、５６  …ＲＯＭ、５７  …ネジ、６６  …ＵＳＢケーブル、
【図１】
2004235831.tif 000003
【図２】
2004235831.tif 000004
【図３】
2004235831.tif 000005
【図４】
2004235831.tif 000006
【図５】
2004235831.tif 000007
【図６】
2004235831.tif 000008
【図７】
2004235831.tif 000009
【図８】
2004235831.tif 000010
【図９】
2004235831.tif 000011
【図１０】
2004235831.tif 000012
【図１１】
2004235831.tif 000013
【図１２】
2004235831.tif 000014
【図１３】
2004235831.tif 000015
【図１４】
2004235831.tif 000016
【図１５】
2004235831.tif 000017
【図１６】
2004235831.tif 000018
【図１７】
2004235831.tif 000019
【図１８】
2004235831.tif 000020
【図１９】
2004235831.tif 000021
【図２０】
2004235831.tif 000022
【図２１】
2004235831.tif 000023